(57)【要約】【課題】  断面が略四角形の内部空間を有する管路に対する被覆補修を的確に行うことのできる補修用被覆体と管路の補修方法を提供すること。【解決手段】  管路９０の四角形状の各辺の長さに対応する長さを有し、湾曲形状を成し、弾力性を有する平板状のスリーブ構成部材１４−１〜１４−４と、管路９０の四隅に配され、スリーブ構成部材１４−１〜１４−４の対向端部２２を係止する係止凹部３７を備える中間固定部材３０と、スリーブ構成部材１４−１〜１４−４が連設されて構成されるスリーブ１４と管路内側面９０ａとの間に装填される環状弾性シート部材１６とで補修用被覆体１０を形成する。スリーブ構成部材１４−１〜１４−４の連設設置は、スリーブ構成部材１４−１〜１４−４を管路９０の壁面に湾曲形状の突面側を対向させ、湾曲状態を弾性力に抗して直線状に近い状態に伸長させた状態で端部２２を中間固定部材３０の係止凹部３７に係止させて行う。【選択図】  図１
2006083888.tif 000002
【特許請求の範囲】
【請求項１】
断面空間が略四角形状の管路の内側面を被装して補修する管路の補修用被覆体構造において、
前記四角形状の各辺の長さに対応する長さを有し、非設置状態で所定曲率の湾曲形状を成し、前記各辺の壁面に対応して設置される弾力性を有する部材にて形成された４枚の平板状のスリーブ構成部材と、
前記管路の四角形状の四隅に配され、それぞれ隣接する前記辺の壁面に対応する２つの前記スリーブ構成部材の対向端部を係止可能な係止凹部を備える中間固定部材と、
前記スリーブ構成部材が連設されて構成されるスリーブと前記管路内側面との間に装填される環状弾性シート部材と、を備え、
前記各スリーブ構成部材の連設設置は、各スリーブ構成部材を前記管路の前記４つの壁面のそれぞれにその湾曲形状の突面側を対向させ、前記湾曲状態をその弾性力に抗して伸長させた状態でそれらの端部を前記中間固定部材の係止凹部に係止させて行うことを特徴とする管路の補修用被覆体構造。
【請求項２】
前記中間固定部材は、断面Ｌ字状の形状を有し、前記係止凹部は、該Ｌ字状の各辺の先端面に開口する様に形成されたことを特徴とする請求項１に記載の管路の補修用被覆体構造。
【請求項３】
前記スリーブ構成部材の長さ方向端部には、幅方向の両側部に中央部に向けて突出する方向に傾斜する傾斜部が設けられたことを特徴とする請求項１又は２の何れかに記載の管路の補修用被覆体構造。
【請求項４】
前記中間固定部材は、前記スリーブ構成部材の対向端部間の隙間に挿入して設置され、前記係止凹部の底面は、前記挿入方向前方に低くなる様に傾斜する傾斜底面とされたことを特徴とする請求項１〜３の何れかに記載の管路の補修用被覆体構造。
【請求項５】
前記中間固定部材の前記断面Ｌ字状の２辺はそれらの成す角度を調整可能に構成されたことを特徴とする請求項２〜４の何れかに記載の管路の補修用被覆体構造。
【請求項６】
断面空間が五角形以上の略多角形状の管路の内側面を被装して補修する管路の補修用被覆体構造において、
前記多角形状の各辺の長さに対応する長さを有し、非設置状態で所定曲率の湾曲形状を成し、前記各辺の壁面に対応して設置される弾力性を有する部材にて形成された前記多角形状の辺の数に等しい枚数の平板状のスリーブ構成部材と、
前記管路の多角形状の隅部に配され、それぞれ隣接する前記辺の壁面に対応する２つの前記スリーブ構成部材の対向端部を係止可能な係止凹部を備える中間固定部材と、
前記スリーブ構成部材が連設されて構成されるスリーブと前記管路内側面との間に装填される環状弾性シート部材と、を備え、
前記各スリーブ構成部材の連設設置は、各スリーブ構成部材を前記管路の前記辺の壁面のそれぞれにその湾曲形状の突面側を対向させ、前記湾曲状態をその弾性力に抗して伸長させた状態でそれらの端部を前記中間固定部材の係止凹部に係止させて行うことを特徴とする管路の補修用被覆体構造。
【請求項７】
断面空間が略四角形状の管路の内側面を被装して補修する管路の補修方法において、
前記四角形状の各辺の長さに対応する長さと非設置状態で所定曲率の湾曲形状とを有し、前記各辺の壁面に対応してそれぞれ設置される４枚の平板状のスリーブ構成部材を弾力性を有する部材にて形成する工程と、
前記管路内側面の四辺に沿うように環状弾性シート部材を配置する工程と、
前記環状弾性シート部材の内側において、前記４枚の平板状のスリーブ構成部材を前記管路の前記略四角形状の各辺の壁面のそれぞれにその湾曲形状の突面側を対向させ、前記湾曲状態をその弾性力に抗して伸長させた状態で押しつける工程と、
前記管路のそれぞれ隣接する辺に押し付けられている状態の前記２つのスリーブ構成部材の対向端部を同時に係止可能な係止凹部を備える中間固定部材を前記管路の四隅に設置し前記係止凹部に前記スリーブ構成部材の対向端部を同時に係止させるように設置する工程と、
を備えることを特徴とする管路の補修方法。
【発明の詳細な説明】
【技術分野】
【０００１】
本発明は、管路の管路内側面を被装して補修する補修用被覆体及び、管路の補修方法に関する。
【背景技術】
【０００２】
例えば、農業用水のための経路として山間部等に管路が形成され、あるいは下水管等種々の排水路として管路が形成されている。このような管路は、大型のものはコンクリート等で形成され、小型のものは、ヒューム管、陶管、硬質塩化ビニル管等が広く使用されている。これら管路は、通常地中に埋設されており、このため人為的もしくは自然的な地盤変動の影響を受けやすい。例えば、地盤沈下が生じた場合、これに伴い管路も沈下し管路の継ぎ目部がずれて隙間ができ、また地震が発生した場合管路に地震荷重が加わり管路の一部にクラックが発生する場合がある。本発明の出願人は、管路に発生した継ぎ目部ずれやクラックの補修に関する種々の技術の開発を行ってきた。
【０００３】
図１０は、管路９０の補修に関する従来技術例を説明した説明図である。同図に示した補修技術は管路９０の内壁部に生じた損傷部１０２に補修剤１００を充填し、次いで損傷部１０２にこれを覆う面積を有する板状のゴムパッキン１０６を被せ、このゴムパッキン１０６の所定箇所を固定用のアングル１０８によって押圧固定するものである。このアングル１０８の固定は、アングル１０８の図上左右両端部において、アンカーボルト１０４で管路９０に固定することにより行われる。更に、補修部に固定されたアングル１０８の周囲をモルタル１１０で覆い固めている。この補修により、損傷部１０２からの管路９０内部への水等の浸入を防止し、又は管路９０内部の流水が損傷部１０２を介して外部に流出することを防止するものである。
【０００４】
図１１は、管路９０の補修に関する他の従来技術例を説明した説明図である。同図に示された補修技術では、先ず管路９０にその外側から発生したクラック１２４の浸水箇所を管路９０の内面側からＶ字状に削り（はつり）、Ｖカット部１２２を形成する。次いで、Ｖカット部１２２に図示しない注入パイプからクラック１２４、更に管路９０の外側まで止水剤１２５を注入する。止水剤１２５を注入後、注入パイプを引き抜き、Ｖカット部１２２を急結セメント１２８で固め、更に補修箇所表面を仕上げ材１２９で仕上げるものである。この補修によっても上記と同様の止水効果が得られる。
【０００５】
特許文献１には、略円形形状の管路を補修する技術として円筒状のスリーブＳを形成する複数（実施の形態では３枚）のスリーブ構成部材（１１）等を有する補修用被覆体が開示されている。同文献に示された補修用被覆体では３枚のスリーブ構成部材（１１）を管路内の補修箇所で管路内側面に沿って所定の隙間を開けて周方向に並べ略円筒状のスリーブを形成している。そのスリーブの外側上には環状の弾性シート部材（２１）が被装され、弾性シート部材（２１）は、スリーブＳと管路内側面との間に装填された状態となっている（特許文献１、図２参照）。そして、同文献の図１１や図１５に示されたように、最終的なスリーブＳの拡径を行うための中間固定部材（３１）がスリーブ（Ｓ）の幅方向両側、あるいは３カ所からスリーブ構成部材（１１）の相互間の隙間に挿入され、これによりスリーブ（Ｓ）は拡径され、弾性シート部材（２１）は管路内側面に押圧され密着している。
【０００６】
スリーブ（Ｓ）を形成するスリーブ構成部材（１１）は、同文献の図４に示されているように、対向端部（１２）において、テーパ状の傾斜部（１３）、（１４）を有している。そしてこの傾斜部（１３）、（１４）が互いに対向して形成される隙間に中間固定部材（３１）を挿入し更に挿入方向に移動させてこの隙間の間隔を広げるようにスリーブ構成部材（１１）を移動させるものである。
【０００７】
中間固定部材３１は、同文献の図６に示されているように、スリーブ構成部材（１１）の対向端部（１２）を挿入可能な間隔を有して互いに対向する２枚の平板部（第１平板部（３３）、第２平板部（３４））と、これらの間に設けられて互いに対向する対向端部（１２）間に差し込まれることによってスリーブ（Ｓ）の拡径動作を行う楔部（３２）を有している。楔部（３２）は、対向端部（１２）の傾斜部（１３）、（１４）に対向して当接する一対の対向面（３２ａ）を有しており、前端から後ろ端に移行するに従って互いの間隔が漸次広がるように形成されている。
【０００８】
なお、対向端部（１２）により形成される隙間への中間固定部材（３１）への挿入、移動は、スリーブ構成部材（１１）の幅方向両側及び切欠部（１５）により形成される開口部から、傾斜部（１３）、（１４）の存在する方向に沿って行われる（同文献図１１参照）。
【０００９】
スリーブ（Ｓ）が拡径され、弾性シート部材（２１）が管路内側面に密着することにより、管路の補修箇所の止水が行われる。そして、補修用被覆体を組立式とし、補修用被覆体の管路内への施工作業を容易ならしめ、作業効率の向上を図ると共に、組み立て前はパーツごとに分解された状態とすることにより各部材の大きさや重量を小さくし、運搬及び搬入を容易なものとしている。
【００１０】
【特許文献１】特開２００３−１３０２８２号公報
【発明の開示】
【発明が解決しようとする課題】
【００１１】
上記図１０及び図１１に示した従来技術は、管路の補修箇所において有効な止水効果等が得られるものの、一度に補修できる補修範囲が狭い範囲に限られている。従って補修作業を行う前に管路に発生した損傷箇所や損傷の程度を正確に把握し、管路の損傷状況に応じた補修を行う必要がある。この損傷状況の把握や損傷箇所の補修のために管路を流れる流水等を予め排水等する必要が生じる場合もあり、この場合作業に手間のかかるものになる。また、管路において、外部から水の浸入等が発生するような損傷が発生した場合、損傷箇所の周囲も微小なクラック等が発生している場合がある。このような場合、損傷箇所を含む比較的広い範囲を管路の全周に亘って補修することが止水を行う上で確実であるが、上記従来技術ではこの対応が困難になる。
【００１２】
また、特許文献１の管路の補修技術は、断面が略円形の管路に適用されるものである。特許文献１の補修用被覆体はスリーブを拡径すれば、弾性スリーブ構成部材はほぼ均一に押圧されることになる。これに対し、略四角形状の管路は、管路の内面が略平面であり、４方に角隅部が存在する。このような形状の管路に上記従来の円形用の補修用被覆体をそのまま適用することは困難である。
【００１３】
本発明は、断面が略四角形、更に五角形以上の多角形の内部空間を有する管路に対する被覆補修を的確に行うことのできる補修用被覆体と管路の補修方法を提供することを目的としてなされたものである。
【課題を解決するための手段】
【００１４】
請求項１に記載の補修用被覆体構造は、断面空間が略四角形状の管路の内側面を被装して補修する管路の補修用被覆体構造において、四角形状の各辺の長さに対応する長さを有し、非設置状態で所定曲率の湾曲形状を成し、各辺の壁面に対応して設置される弾力性を有する部材にて形成された４枚の平板状のスリーブ構成部材と、管路の四角形状の四隅に配され、それぞれ隣接する上記辺の壁面に対応する２つのスリーブ構成部材の対向端部を係止可能な係止凹部を備える中間固定部材と、スリーブ構成部材が連設されて構成されるスリーブと管路内側面との間に装填される環状弾性シート部材と、を備え、各スリーブ構成部材の連設設置は、各スリーブ構成部材を管路の４つの壁面のそれぞれにその湾曲形状の突面側を対向させ、湾曲状態をその弾性力に抗して伸長させた状態でそれらの端部を中間固定部材の係止凹部に係止させて行うことを特徴としている。
【００１５】
すなわち、スリーブ構成部材は、管路の四隅に配置された中間固定部材の係止凹部にその両端が係止されて連設されスリーブを構成するが、この状態では各スリーブ構成部材は、通常の湾曲形状からその弾性力に抗して伸長された状態とされているのでその両端部は湾曲状態に復帰しようとする。すなわち、管路の内側へ曲がろうとする方向の力を発揮する。しかし、管路の四隅に配置された中間固定部材はほぼ９０度の角度であり、両係止凹部にスリーブ構成部材の対向端部に挿入設置すると、スリーブ構成部材が内側に曲がろうとする力を抑止するため、管路の内側には移動できない状況になる。したがって、４枚のスリーブ構成部材と四隅の中間固定部材は、両者相まって各スリーブ構成部材が外側の環状弾性シート部材を管路内側面側に押しつけた状態で仮固定した状態となる。これにより、断面が略四角形の空間を有する管路であっても止水などに対する的確な補修を行うことができる。
【００１６】
請求項２に記載の補修用被覆体構造は、請求項１に記載の補修用被覆体構造であって、中間固定部材は、断面Ｌ字状の形状を有し、係止凹部は、該Ｌ字状の各辺の先端面に開口する様に形成されたことを特徴とする。
【００１７】
管路においてスリーブ構成部材の端部が対向した状態が、管路の四隅（角隅）にて形成されるので、この角隅においてスリーブ構成部材の対向する端部を中間固定部材の係止凹部で係止し、この係止状態が維持される構成としたものである。また中間固定部材が略Ｌ字状であるので、角隅部と中間固定部材が対向する状態になり、中間固定部材が存在する位置においても、環状弾性シート部材の均一な押圧が可能となる。
【００１８】
請求項３に記載の補修用被覆体構造は、請求項１又は２の何れかに記載の補修用被覆体構造であって、スリーブ構成部材の長さ方向端部には、幅方向の両側部に中央部に向けて突出する方向に傾斜する傾斜部が設けられたことを特徴とする。
【００１９】
これにより、スリーブを構成するためにスリーブ構成部材を配置した状態で、管路の四隅において、スリーブ構成部材の対向端部で形成される隙間が幅方向両側部で広く開いた形状になる。従って、係止凹部による係止を行う場合、この隙間にスリーブ構成部材の幅方向両側部から中間固定部材を挿入するようにして係止凹部を対向端部に係止させ、その状態で中間固定部材を更に挿入して中間固定部材を角隅部に安定設置することができる。
【００２０】
請求項４に記載の補修用被覆体構造は、請求項１〜３の何れかに記載の補修用被覆体構造であって、中間固定部材は、スリーブ構成部材の対向端部間の隙間に挿入して設置され、係止凹部の底面は、挿入方向前方に低くなる様に傾斜する傾斜底面とされたことを特徴とする。
【００２１】
これにより、中間固定部材の係止凹部をスリーブ構成部材の端部に係止させることがより容易になる。すなわち、上記構成により中間固定部材の係止凹部の挿入方向前方側が広くなるので、上記中間固定部材のスリーブ構成部材端部間への挿入動作が容易なものとなる。従って、中間固定部材を衝突なく円滑に挿入することが可能とる。
【００２２】
また、中間固定部材の係止凹部の傾斜底面がスリーブ構成部材の傾斜端部に当接するまで隙間に深く挿入されることにより、スリーブ構成部材の対向端部が互いに離れる方向に各スリーブ構成部材を移動させることができる。すなわち、スリーブ構成部材により構成されるスリーブをその各辺の辺長を延ばして拡張する方向の力を加えることができる。したがって、スリーブ構成部材は全体として対向する管路の内側面に環状弾性シート部材をより強く押圧することができ、また、中間固定部材もそれぞれ管路の角隅部により強く押し付けられることとなる。この傾斜底面を有する中間固定部材の挿入によるスリーブの拡張により、環状弾性シート部材の押圧力の微調整が可能になるとともに、スリーブを拡張させることで管路における止水効果をより適切なものとなる。
【００２３】
請求項５に記載の補修用被覆体構造は、請求項２〜４の何れかに記載の補修用被覆体構造であって、中間固定部材の断面Ｌ字状の２辺はそれらの成す角度を調整可能に構成されたことを特徴とする。
【００２４】
これにより、管路の四隅の挟角が直角でなく、例えば鈍角を形成している場合であっても、この中間固定部材を角隅部の形状に容易に合致させて設置することが可能になり、隣接のスリーブ構成部材の端部も的確に受け入れられる。従って、四隅が直角でない種々の管路、更には、断面が五角形状以上の多角形状を有する管路への補修用被覆体の設置が可能となる。
【００２５】
請求項６に記載の補修用被覆体構造は、
断面空間が五角形以上の略多角形状の管路の内側面を被装して補修する管路の補修用被覆体構造において、多角形状の各辺の長さに対応する長さを有し、非設置状態で所定曲率の湾曲形状を成し、各辺の壁面に対応して設置される弾力性を有する部材にて形成された多角形状の辺の数に等しい枚数の平板状のスリーブ構成部材と、管路の多角形状の隅部に配され、それぞれ隣接する上記辺の壁面に対応する２つのスリーブ構成部材の対向端部を係止可能な係止凹部を備える中間固定部材と、スリーブ構成部材が連設されて構成されるスリーブと管路内側面との間に装填される環状弾性シート部材と、を備え、各スリーブ構成部材の連設設置は、各スリーブ構成部材を管路の辺の壁面のそれぞれにその湾曲形状の突面側を対向させ、湾曲状態をその弾性力に抗して伸長させた状態でそれらの端部を中間固定部材の係止凹部に係止させて行うことを特徴とする。
【００２６】
これにより、断面空間が略五角形以上の略多角形状の空間を有する管路であっても請求項１の補修用被覆体構造と同様の作用の下で止水などに対する的確な補修を行うことができる。
【００２７】
請求項７に記載の管路を補修する方法は、
断面空間が略四角形状の管路の内側面を被装して補修する管路の補修方法において、四角形状の各辺の長さに対応する長さと非設置状態で所定曲率の湾曲形状とを有し、各辺の壁面に対応してそれぞれ設置される４枚の平板状のスリーブ構成部材を弾力性を有する部材にて形成する工程と、管路内側面の四辺に沿うように環状弾性シート部材を配置する工程と、環状弾性シート部材の内側において、４枚の平板状のスリーブ構成部材を管路の略四角形状の各辺の壁面のそれぞれにその湾曲形状の突面側を対向させ、湾曲状態をその弾性力に抗して伸長させた状態で押しつける工程と、管路のそれぞれ隣接する辺に押し付けられている状態の２つのスリーブ構成部材の対向端部を同時に係止可能な係止凹部を備える中間固定部材を前記管路の四隅に設置し係止凹部にスリーブ構成部材の対向端部を同時に係止させるように設置する工程と、を備えている。
【００２８】
これにより、請求項１の補修用被覆体構造による作用と同様に、断面空間が略四角形状の管路の内側面に環状弾性シート部材を押圧して、環状弾性シート部材で管路の止水等を的確に行い、管路の補修を行うことができる。
【発明の効果】
【００２９】
本発明に係る補修用被覆体構造及び管路を補修する方法によれば、断面が略四角形形状及び五角形以上の略多角形形状の管路内におけるスリーブによる、環状弾性シート部材の密着性の維持が可能となり、この管路への補修用被覆体の施工が可能となる。
【発明を実施するための最良の形態】
【００３０】
本発明の実施の形態について図面に基づいて説明する。図１は、本発明にかかる補修用被覆体１０の構成部材及びそれらが設置される略四角形の断面空間を有する管路９０（破線で示している）が示されている。管路９０は、所定厚さにコンクリートなどで形成され、略四角形状の断面空間を有している。すなわち、底面９２と底面９２の両側から起立する側面９４−１，９４−２と、底面９２に対向する天井面９６の４つの面で構成されており、四方に角隅部９５−１〜９５−４を有している。この管路９０の断面空間の大きさ、すなわち、底面９２等の幅や側面９４−１の高さは、小さいものは８０ｃｍ程度であり、大きなものは３ｍ程度の範囲に及ぶ。
【００３１】
本実施の形態に係る補修用被覆体１０の基本構成は、内部にスリーブ１４を配置し、その外側に環状弾性シート部材１６を外嵌させ、管路９０内において、環状弾性シート部材１６が適切な押圧力で管路の内側面９０ａに押圧された状態が得られるようにスリーブ１４を設置するものであり、この状態を維持することによって管路９０の補修を行うものである。また、後述するように、スリーブ１４を適度に拡径（拡張）させて環状弾性シート部材１６の上記押圧力を調整し、これにより環状弾性シート部材１６による止水等の効果を高めることも可能である。
【００３２】
本実施の形態における特徴的事項の１つは、連接されてスリーブ１４を構成するスリーブ構成部材の構成にあり、４枚のスリーブ構成部材１４−１〜１４−４は、全て所定曲率の湾曲形状とされている。これら４枚のスリーブ構成部材１４−１〜１４−４は、管路９０の４つの面にそれぞれ対応して配置されるものである。スリーブ構成部材１４−１〜１４−４の管路９０の４つの面への配置時、スリーブ構成部材１４−１〜１４−４の湾曲形状の突面側を管路９０の４つの面に対向させた状態となる。
【００３３】
これら４枚のスリーブ構成部材１４−１〜１４−４を連設状態で設置するための部材として中間固定部材３０が設けられ、中間固定部材３０は管路９０の四隅に配置され、２つのスリーブ構成部材１４の端部２２をそれぞれ係止可能な構成とされる。
【００３４】
また、このスリーブ構成部材１４−１〜１４−４によって形成されるスリーブ１４の外側に設置される環状弾性シート部材１６は、所定幅の帯状体であり、従来の円形の管路の補修のためにスリーブに外装されるものと基本的に異なるものではなく、スリーブ１４により押圧されて管路９０の内側面に密着し密閉状態を構成できるものであればよい。なお、スリーブ構成部材１４−１〜１４−４の厚さは、例えば、２〜６ｍｍ程度である。また、環状弾性シート部材１６の厚さは２〜３０ｍｍ程度であり、環状弾性シート部材１６はゴム等の弾性変形が可能な材料で形成されている。
【００３５】
なお、符号１８で示した部材は当板部材１８であり、平板状の略長方形形状を略直角に折り曲げて形成されている。当板部材１８は、スリーブ構成部材１４−１〜１４−４の対向端部２２で形成される隙間２０となる部分を連結するとともに、角隅部９５を補強し、かつ隙間２０から環状弾性シート部材１６がスリーブ１４の内側にはみ出すのを防止するものであり、また、中間固定部材３０の取り付け時による環状弾性シート部材１６が傷つくのを防止するものである。当板部材１８は、角隅部９５においてスリーブ１４と環状弾性シート部材１６との間に必要に応じて装着される。当板部材１８は、スリーブ構成部材１４−１〜１４−４よりも厚いか或いは同等の厚さを有し、スリーブ構成部材１４−１〜１４−４と同一の材質で形成することができる。なお、当板部材１８の厚さはスリーブ構成部材１４−１〜１４−４より薄くても良い。また、当板部材１８の幅は、上記隙間２０の全てを覆う長さであっても良く又、隙間２０の長さよりも若干短いものであっても良い。
【００３６】
次に、各構成部材の詳細について説明する。まず、図２は上述したスリーブ構成部材１４−１〜１４−４の構成例が示されており、管路９０の底面に対応して設置されるスリーブ構成部材１４−１が例示されている。図示のように、スリーブ構成部材１４−１は湾曲形状を有しており、金属や合成樹脂等の弾力性を有する材料で形成されている。なお、後述するように管路９０への設置の際には、スリーブ構成部材１４−１は、矢印２００の箇所からの力を加えることによって、その弾性力に抗して湾曲状態を直線状に近づけるように伸長されるものである。
【００３７】
また、スリーブ構成部材１４−１の幅方向（矢印２２０方向）の端部よりには、スリーブ構成部材１４−１の長さ方向に沿って２本のリブ１５が形成されている。リブ１５は、湾曲するスリーブ構成部材１４−１の凹面側又は凸面側に突出するようにスリーブ構成部材１４−１を屈曲させて形成している。このリブ１５は、スリーブ構成部材１４−１が環状弾性シート部材１６を押圧する時に、スリーブ構成部材１４−１の剛性を高めるため補強するものである。
【００３８】
更に、スリーブ構成部材１４−１の幅方向両端部には、フランジ１７が形成されている。フランジ１７は、スリーブ構成部材１４−１の幅方向両端部を湾曲の凸面側に折曲して形成されている。フランジ１７は管路９０内を流れる流水等によって環状弾性シート部材１６（図１参照）が損傷するのを防護し、また流水の流れをスムーズにし、且つリブ１５同様、スリーブ構成部材１４−１を補強するものである。
【００３９】
図３は、スリーブ構成部材１４−１の端部２２付近の形状を説明した平面図（中間部分を省略している）である。図示のようにスリーブ構成部材１４−１の両側端部２２−１、２２−２には、それぞれ両側部から中央部側に向けて傾斜する傾斜部２４（合計４カ所）が形成されている。
【００４０】
図４は、中間固定部材３０の具体的構成を示しており、この中間固定部材３０が装着されるスリーブ構成部材１４−３、１４−４及び管路９０の概略構成の一部が破線で示されている。中間固定部材３０は、Ｌ字形の断面基本形状を有し、それぞれの辺には、一対の係止プレート３６、３８で挟まれた係止凹部３７が形成されている。この係止凹部３７には後述するようにスリーブ構成部材１４−３、１４−４の端部２２が係止されるが、その内部（係止凹部３７底部）には傾斜底面３７ａが形成されている。
【００４１】
また、管路の角隅部９５−４において、スリーブ構成部材１４−３、１４−４の対向する傾斜部２４で形成される隙間が幅方向両側部で広く開いた形状になる。係止凹部３７による係止を行う場合、この隙間２０にスリーブ構成部材の幅方向両側部から中間固定部材３０を矢印２３０の方向に挿入するようにして係止凹部３７を傾斜部２４に係止させ、その状態で中間固定部材３０を更に挿入して中間固定部材３０を隙間２０に介在させる構成となっている。
【００４２】
次に、上記構成の管路の補修用被覆体構造の設置について説明する。図５は、まず、スリーブ構成部材１４−１〜１４−４を管路９０内にて仮組みする状態を示している。なお、図において、スリーブ構成部材１４−１〜１４−４の厚さや環状弾性シート部材１６の厚さは図示の明確化のため他の部材に対して実際よりも厚く示している。
【００４３】
この仮組に当たっては、管路９０内を洗浄し、管路内側面９０ａに付着したモルタルや管路９０内に浸入した木根等が取り除かれ、かつ管路内側面９０ａの形状をディスクグラインダ等により整える作業が行われる。そして、スリーブ構成部材１４−１〜１４−４の外側、すなわち、管路９０の内側面９０ａ側には環状弾性シート部材１６が配置されている。
【００４４】
図示したように、各スリーブ構成部材１４−１〜１４−４は、四角形の断面空間を有する管路９０の各辺にそれぞれ１個ずつ対応して配置される。そして、各スリーブ構成部材１４−１〜１４−４は湾曲状態を直線に近づけるように伸長されて設置される。この設置のための用具として、支持棒８０が用いられている。この支持棒８０は、管状の支持棒本体８０ａを有し、その両端部に伸長部８０ｂを有している。伸長部８０ｂは、支持棒本体８０ａと図示しないネジ機構により支持棒本体８０ａ内部で螺合しており、この伸長部８０ｂを回転させることにより、伸長部８０ｂを伸長或いは収縮させる構成となっている。
【００４５】
例えば、まず、底面部９２に配置されるスリーブ構成部材１４−１を２本の支持棒８０にて伸長させ、天井部９６に配置されるスリーブ構成部材１４−３をそれら２本の支持棒８０の上部に設置する作業が行われる。同図ではスリーブ構成部材１４−３の図上右側部分のみがまず支持された状態が示されている。この様に４本の支持棒８０を用いて４枚のスリーブ構成部材１４−１〜１４−４を伸長させて各辺に設置する作業が終了する。この仮組の状態ではスリーブ構成部材１４−１〜１４−４のそれぞれ対向する端部２２間には隙間２０が形成されている。すなわち、各スリーブ構成部材１４−１〜１４−４の長さは、伸長されて設置された状態で、断面四角形状の管路９０の空間の一辺の長さより短く、それぞれの両端部に隙間２０が確保される長さである。
【００４６】
この４枚のスリーブ構成部材１４−１〜１４−４の設置（仮組）がなされた後、中間固定部材３０をスリーブ構成部材１４の両端側のそれぞれの隙間２０に挿入する作業が行われる。すなわち、中間固定部材３０は、四角形状の断面空間の四隅にそれぞれ配置されるものである。この隙間２０への中間固定部材３０の挿入動作は、図４に示したように、仮組みされたスリーブ構成部材１４−１〜１４−４の端部間（隙間２０）に矢印２３０方向に挿入していくことにより行う。このとき、中間固定部材３０の係止凹部３７には挿入方向前方側が広くなるように傾斜底面３７ａが形成されているので、スリーブ構成部材１４の端部２２に形成された傾斜部２４と相まってその挿入動作は容易なものとなっている。すなわち、衝突なく円滑に挿入することが可能となっている。
【００４７】
この様に四隅への中間固定部材３０の挿入設置が終了した時点で、四枚のスリーブ構成部材１４−１〜１４−４が連設されスリーブ１４が構成された状態となる。なお、中間固定部材３０の隙間２０への挿入は図示しない油圧シリンダー等の挿入器具を使用して行っても良い。
【００４８】
図６は、中間固定部材３０が挿入されこのスリーブ１４が構成された状態を示しており、管路９０の上部のみを示している。なお、図において、スリーブ構成部材１４−１〜１４−４の厚さや環状弾性シート部材１６の厚さは図示の明確化のため他の部材に対して実際よりも厚く示している。
【００４９】
この状態では、各スリーブ構成部材１４は、その弾性力に抗して湾曲状態から伸長させられた状態にあるので、それぞれの端部２２は湾曲状態に戻ろうとする復帰力を発揮している。その復帰力を四隅の中間固定部材３０が制止しており、同図に示された状態が保たれている。すなわち、中間固定部材３０は両側のスリーブ構成部材１４がそれぞれ復帰力を奏することからその力は衝突した状態となり、管路９０の内側方向に動くことができない状態となっている。従って、中間固定部材３０はしっかりと位置決めされた状態となり、各スリーブ構成部材１４−１〜１４−４はその湾曲状態への復帰力により、それぞれの端部２２を起点として環状弾性シート部材１６を管路９０の四方の壁面側に押圧した状態を保っている。したがって、例えば、管路９０のコンクリート打継目やクラックなどから発生する地下水の浸入や管路内を流れる流水の漏水を環状弾性シート部材１６によって密閉することにより確実な補修がなされる。
【００５０】
図７は、図６に示した状態から中間固定部材３０を更に挿入した状態が示されている。中間固定部材３０の隙間２０への挿入は、図６に示したように、少なくとも中間固定部材３０によりスリーブ構成部材１４−１〜１４−４が連設された状態が維持される程度に行われる。しかし、更に好適には、本図、図７に示したように中間固定部材３０の係止凹部３７−１、３７−２の傾斜底面３７ａ−１、３７ａ−２がスリーブ構成部材１４−１〜１４−４の傾斜部２４に当接するまで隙間２０に深く挿入される。これにより、スリーブ構成部材１４−１〜１４−４の対向端部２２が互いに離れる方向にスリーブ構成部材１４−１〜１４−４を移動させることができ、すなわち、スリーブ構成部材１４−１〜１４−４により構成されるスリーブの各辺の辺長を延ばして拡張する方向の力を加えることができる。
【００５１】
したがって、スリーブ構成部材１４−１〜１４−４は全体として対向する管路９０の内側面９０ａに環状弾性シート部材１６をより強く押圧することができ、また、中間固定部材３０もそれぞれ管路９０の角隅部９５により強く押し付けられることとなる。この傾斜底面３７ａを有する中間固定部材３０の挿入によるスリーブ１４の拡張により、環状弾性シート部材１６の押圧力の微調整が可能になる。このように、スリーブ１４を拡張させることで管路９０における止水効果をより適切なものとなる。
【００５２】
なお、図５〜図７に示した状態で、必要に応じ管路９０の角隅部９５において、図１に示した当板部材１８を環状弾性シート部材１６とスリーブ構成部材１４−１〜１４−４との間に配置するようにしても良い。
【００５３】
図８は、中間固定部材の他の実施の形態を説明した説明図であり、図８（ａ）は、中間固定部材７０の斜視図、（ｂ）は正面図である。本実施の形態の中間固定部材７０は、基本形状であるＬ字型の基端側に喋番７２を設けている。喋番７２によりＬ字型の両辺の成す角度αが自在に調整できるようになっている。なお、係止凹部７８、係止プレート７４、７６の構成は図４に示した実施の形態の構成と同様である。
【００５４】
この様な構成により、管路９０の角隅部９５の挟角（図示せず）が種々異なる場合であっても、角度αの調整により的確に設置することができ、かつスリーブ構成部材の端部の係止凹部への係止も的確に行うことができる。
【００５５】
図９は、管路９０の断面形状が四角形ではなくより多い角数のものである場合に対応する本発明の実施の形態を示している。なお、図１〜図８に示したものと同一の要素には同一の符号を付しその説明を省略する。図示のように、この管路９０は側面９４と天井面９６との間に付加面９８を有する形状である。この様な形状の管路９０に対応するため本実施の形態の中間固定部材３０は、その２辺の角度を９０度ではなくより広い角度として形成されている。上述の図８に示したような角度調整可能な中間固定部材３０を用いることでこの様な形状には容易に対応することが可能である。
【００５６】
スリーブ構成部材１４も付加面９８に対応する短い長さのスリーブ構成部材１４−５が設けられている。このスリーブ構成部材１４−５も他のスリーブ構成部材１４と同様に通常状態で湾曲形状を有しており、伸長されたときに復帰力を発揮できるよな弾性部材にて形成されている。そして、管路９０の角隅部９７に位置する隙間部２０に中間固定部材３０が挿入され、上記実施の形態と同様に全てのスリーブ構成部材１４−１〜１４−５と中間固定部材３０とによってスリーブ構成部材１４−１〜１４−５の連設によるスリーブ１４の形成が行われ、環状弾性シート部材１６を管路９０の壁面側に押圧した状態を保つことが可能となっている。
【００５７】
このように、本実施の形態に係る補修用被覆体構造の適用により、断面略四角形の内部空間を有する管路９０だけではなく、付加面９８などを有する断面が略五角形形状以上の場合であっても、適合するサイズのスリーブ構成部材を設けることで設置が可能となっている。
【００５８】
以上の様に、上記各実施の形態に係る管路の補修用被覆体構造によれば、補修用被覆対を断面略円形ではない四角形あるいはそれ以上の多角形の断面空間を有する管路の補修のために設置することが可能となる。
【００５９】
なお、本発明は、上述の実施の形態に限定されるものではなく、本発明の要旨の範囲内で種々の変更が可能である。例えば、スリーブ構成部材の湾曲の曲率は、管路のサイズによって種々変更するのが好適である。
【図面の簡単な説明】
【００６０】
【図１】本発明にかかる補修用被覆体構の構成を示す分解斜視図である。
【図２】スリーブ構成部材の構成を説明した斜視図である。
【図３】スリーブ構成部材の端部付近の形状を説明した平面図である。
【図４】中間固定部材の構成と中間固定部材のスリーブ構成部材への装着を説明した説明図である。
【図５】スリーブ構成部材を管路内にて仮組みする状態を説明した説明図である。
【図６】スリーブが構成された状態を説明した説明図である。
【図７】図６に示した状態から中間固定部材を更に挿入し、スリーブを拡張させた状態を説明した図である。
【図８】中間固定部材の他の実施の形態を説明した説明図である。
【図９】管路の断面形状が四角形ではなくより多い角数のものである場合に対応する本発明の実施の形態を説明した説明図である。
【図１０】管路の補修に関する従来技術例を説明した説明図である。
【図１１】管路の補修に関する他の従来技術例を説明した説明図である。
【符号の説明】
【００６１】
１０  補修用被覆体
１４  スリーブ
１４−１  スリーブ構成部材
１４−２  スリーブ構成部材
１４−３  スリーブ構成部材
１４−４  スリーブ構成部材
１６  環状弾性シート部材
２０  隙間
２２  端部
２４  傾斜部
３０  中間固定部材
３６  係止プレート
３７  係止凹部
３８  係止プレート
７４  係止プレート
７６  係止プレート
７８  係止凹部
９０  管路
９０ａ  内側面
９２  底面
９４  側面
９５  角隅部
９６  天井面
【図１】
2006083888.tif 000003
【図２】
2006083888.tif 000004
【図３】
2006083888.tif 000005
【図４】
2006083888.tif 000006
【図５】
2006083888.tif 000007
【図６】
2006083888.tif 000008
【図７】
2006083888.tif 000009
【図８】
2006083888.tif 000010
【図９】
2006083888.tif 000011
【図１０】
2006083888.tif 000012
【図１１】
2006083888.tif 000013